(57)【要約】【課題】静電気に対する電子部品の保護が強化された操作装置を提供する。【解決手段】操作装置は、複数の部材で構成されたケースと、ケースの内部に収容され、電子回路を搭載する制御基板５と、複数の部材間の境界部から侵入する静電気から電子回路を守るために、静電気を吸収する保護部５０と、境界部から侵入した静電気を保護部に誘導する静電気誘導路とを備える。好ましくは、保護部は、制御基板５において接地ラインに接続された電子部品５０を含む。好ましくは、電子回路は、発光ダイオード素子１０を含む。ケースは、制御基板上に配置されたスイッチを操作するためのスイッチ操作ボタン２０と、スイッチ操作ボタン２０に近接して設けられ、制御基板５を覆うカバー部材３１とを含む。【選択図】図６
2015046248.tif 000002
【特許請求の範囲】
【請求項１】
複数の部材で構成されたケースと、
前記ケースの内部に収容され、電子回路を搭載する制御基板と、
前記複数の部材間の境界部から侵入する静電気から前記電子回路を守るために、静電気を吸収する保護部と、
前記境界部から前記電子回路へ至る前記静電気の放電経路の途中に設けられ、前記静電気を前記保護部に誘導するための静電気誘導路とを備える、操作装置。
【請求項２】
前記保護部は、前記制御基板において接地電位を与えるノードと電気的に接続される、請求項１に記載の操作装置。
【請求項３】
前記保護部は、前記制御基板において、接地電位を与えるノードと電気的に接続された電子部品を含む、請求項１に記載の操作装置。
【請求項４】
前記電子回路は、発光ダイオード素子を含み、
前記ケースは、
前記制御基板上に配置されたスイッチを操作するためのスイッチ操作部材と、
前記スイッチ操作部材に近接して設けられ、前記制御基板を覆うカバー部材とを含み、
前記カバー部材には、前記発光ダイオード素子の光を通すための開口部が設けられ、
前記操作装置は、
前記発光ダイオード素子と前記ケースの前記開口部との間に配置される導光部材をさらに備え、
前記導光部材は、前記発光ダイオード素子を覆い、
前記導光部材の前記制御基板に対向する対向面の面積は、前記発光ダイオード素子の前記制御基板上に占める面積よりも広く、
前記保護部は、前記導光部材の前記対向面の端部に対向する前記制御基板上の前記発光ダイオード素子の周辺部に配置される、請求項１〜３のいずれか１項に記載の操作装置。
【請求項５】
前記電子回路は、発光ダイオード素子を含み、
前記ケースは、
前記制御基板上に配置されたスイッチを操作するためのスイッチ操作部材と、
前記スイッチ操作部材に近接して設けられ、前記制御基板を覆うカバー部材とを含み、
前記カバー部材には、前記発光ダイオード素子の光を通すための第１開口部と、前記スイッチ操作部材および前記カバー部材の隙間から前記第１開口部へ至る前記静電気の放電経路の途中に設けられて前記静電気を前記保護部に誘導するための第２開口部とが設けられる、請求項１〜３のいずれか１項に記載の操作装置。
【請求項６】
前記カバー部材は、前記第１開口部および前記第２開口部の各々の周囲に、前記ケースの表面から前記制御基板に向けて伸びる壁部を有する、請求項５に記載の操作装置。
【発明の詳細な説明】
【技術分野】
【０００１】
この発明は、操作装置に関し、より特定的には、ケース外部からの静電気放電から電子回路を保護するための技術に関する。
【背景技術】
【０００２】
従来、給湯器や床暖房システムなどには、壁面等にユーザが操作するための操作装置（リモコン装置）が設置されている。操作装置に設けられている押しボタンなどをユーザが操作することによって、給湯器や床暖房システムの運転条件が変更される。このような操作装置は、人が操作する場合に、人に帯電した静電気の放電経路となる場合があるので、種々の対策が行なわれている。
【０００３】
特開平１１−１９５３４３号公報（特許文献１）には、スイッチ基板において、スイッチ部を覆うシートに静電気穴部を設け、静電気穴部に下方に位置するようにアースパターンが絶縁基板上に形成された例が示されている。
【０００４】
特開２００８−２９４３２０号公報（特許文献２）には、集積回路を搭載した回路基板上にコンデンサを搭載し、コンデンサの一方の端子をグランドパターンに接続し、他方の端子を上方に伸ばした状態とした例が示されている。
【先行技術文献】
【特許文献】
【０００５】
【特許文献１】特開平１１−１９５３４３号公報
【特許文献２】特開２００８−２９４３２０号公報
【発明の概要】
【発明が解決しようとする課題】
【０００６】
操作装置は、ユーザが操作するためのスイッチを基板上に有している。この基板上に配置されたスイッチは、操作装置の外装表面に存在する操作部を操作した際に、樹脂部材を介して操作されるように構成されている。
【０００７】
しかしながら、樹脂部材は一体成型品ではなく、操作する操作部材とその周辺部との間にどうしても隙間ができてしまう。このため、操作装置を操作した際に、この隙間からの静電気放電によって、制御基板上に配置された電子部品（たとえば、マイクロコンピュータ等）が破損する場合がある。
【０００８】
本発明の目的は、ケース外部からの静電気放電に対する電子部品の保護が強化された操作装置を提供することである。
【課題を解決するための手段】
【０００９】
本発明に従う操作装置は、複数の部材で構成されたケースと、ケースの内部に収容された制御基板と、保護部と、静電気誘導路とを含む。制御基板は、電子回路を搭載する。保護部は、複数の部材間の境界部から侵入する静電気から電子回路を守るために静電気を吸収する。静電気誘導路は、境界部から電子回路へ至る静電気の放電経路の途中に設けられ、静電気を保護部に誘導するように構成される。
【００１０】
本発明の操作装置によれば、ケースの境界部から侵入した静電気を保護部に誘導する静電気誘導路を設けたので、静電気に対する電子部品の保護が強化される。
【００１１】
好ましくは、保護部は、制御基板において接地電位を与えるノードと電気的に接続される。あるいは好ましくは、保護部は、制御基板において接地電位を与えるノードと電気的に接続された電子部品を含む。
【００１２】
このようにすると、静電気による電荷を、保護部によって接地ノードに導くことで吸収することができる。特に、電子部品を含むように保護部を構成することにより、静電気を吸収する効果を高めることができる。
【００１３】
好ましくは、電子回路は、発光ダイオード素子を含む。ケースは、制御基板上に配置されたスイッチを操作するためのスイッチ操作部材と、スイッチ操作部材に近接して設けられ、制御基板を覆うカバー部材とを含む。カバー部材には、発光ダイオード素子の光をケース外に通すための開口部が設けられる。操作装置は、発光ダイオード素子とケースの開口部との間に配置される導光部材をさらに備える。導光部材は、発光ダイオード素子を覆う。導光部材の制御基板に対向する対向面の面積は、発光ダイオード素子の制御基板上に占める面積よりも広い。保護部は、導光部材の対向面の端部に対向する制御基板上の発光ダイオード素子の周辺部に配置される。
【００１４】
このようにすると、静電気耐性が低い発光ダイオード素子を、ケース外部からの静電気放電から保護することが可能となる。
【００１５】
好ましくは、電子回路は、発光ダイオード素子を含む。ケースは、制御基板上に配置されたスイッチを操作するためのスイッチ操作部材と、スイッチ操作部材に近接して設けられ、制御基板を覆うカバー部材とを含む。カバー部材には、発光ダイオード素子の光を通すための第１開口部と、スイッチ操作部材およびカバー部材の隙間から第１開口部へ至る静電気の放電経路の途中に設けられて静電気を保護部に誘導するための第２開口部とが設けられる。
【００１６】
このようにすると、カバー部材の開口部に発光ダイオード素子を配置することによってケース内に納められた制御基板に装着される発光ダイオードの光をケース外に通す構造において、静電気耐性が低い発光ダイオード素子をケース外部からの静電気放電から保護することが可能となる。
【００１７】
より好ましくは、カバー部材は、第１開口部および第２開口部の各々の周囲に、ケースの表面から制御基板に向けて伸びる壁部を有する。
【００１８】
これにより、第２開口部から第１開口部への放電経路をカバー部材の壁部によって阻止することができるので、静電気を保護部へ誘導する効果を高めることができる。
【発明の効果】
【００１９】
本発明によれば、ケース外部からの静電気放電に対する電子部品の保護が強化された操作装置を提供することができる。
【図面の簡単な説明】
【００２０】
【図１】本発明の実施の形態１におけるリモコン装置の外観を概略的に示す斜視図である。
【図２】リモコン装置のカバーを開けた状態を概略的に示す斜視図である。
【図３】リモコン装置の構成を概略的に示す分解斜視図である。
【図４】ケース１を取り外した状態の制御基板５の外観図である。
【図５】発光ダイオード素子１０の付近を拡大して示した図である。
【図６】制御基板上に実装された発光ダイオード素子１０を側方から見た図である。
【図７】実施の形態１の比較例に生じる放電経路を説明するための図である。
【図８】実施の形態２の操作装置の外観図である。
【図９】図８のＩＸ−ＩＸにおける断面図である。
【図１０】実施の形態２の比較例に生じる放電経路を説明するための図である。
【図１１】実施の形態２の操作装置の図８のＸ−Ｘにおける断面図である。
【図１２】実施の形態２の操作装置における静電気誘導路および保護部の配置の変形例を説明するための図である。
【発明を実施するための形態】
【００２１】
以下、本発明の実施の形態について図面を参照しながら詳細に説明する。なお、図中同一または相当部分には同一符号を付してその説明は繰返さない。
【００２２】
［実施の形態１］
まず、本発明の実施の形態１における操作装置（以下、リモコン装置ともいう）の構成について説明する。
【００２３】
本発明の実施の形態１におけるリモコン装置は、たとえば給湯器や床暖房システムなどの制御する装置を操作するためのものであり、室内の壁面に取り付けられて、給湯器や床暖房システムの本体の制御装置と電装線で接続された状態で使用される。つまり、リモコン装置は電装線と電気的に接続可能であり、電装線によって給湯器や床暖房システムの本体と電気的に接続可能である。
【００２４】
図１は、本発明の実施の形態１におけるリモコン装置の外観を概略的に示す斜視図であり、図２は、リモコン装置のカバーを開けた状態を概略的に示す斜視図であり、図３は、リモコン装置の構成を概略的に示す分解斜視図である。
【００２５】
図１〜図３を参照して、実施の形態１のリモコン装置は、ケース１と、カバー２と、表示部３と、スイッチ操作ボタン４，２０と、制御基板５と、絶縁シート８と、取付板９とを主に有している。
【００２６】
リモコン装置の幅方向において、ケース１の一方端部にカバー２の一方端部が軸回りに開閉可能に連結されている。ケース１およびカバー２はたとえばＡＢＳ樹脂などの樹脂材（絶縁体）によって形成されている。ケース１の表面側に表示部３と、スイッチ操作ボタン４とが配置されている。カバー２が開いた状態で表示部３とスイッチ操作ボタン４とがカバー２の内側から現れる。なお、カバー２に覆われていない一部のスイッチ操作ボタン２０については、カバーが閉じた状態でも操作することが可能である。なお、図１に示すようにカバー２が閉じた状態で表示部３とスイッチ操作ボタン４とはカバー２によって覆われている。
【００２７】
図３に示すように、ケース１の内側に制御基板５、絶縁シート８、取付板９が取り付けられている。ケース１の操作面から背面に向けて、ケース１、制御基板５、絶縁シート８、取付板９の順に、これらが重ねられ組みつけられている。
【００２８】
絶縁シート８は、絶縁性を有する材料で形成されており、たとえばポリエチレン樹脂などの樹脂材によって形成されている。絶縁シート８は、可撓性を有する材料によってシート状に形成されている。絶縁シート８は、制御基板５上に設けられた電装線のコネクタの挿し込み口の手前近傍に相当する個所に、電装線の先端の挿入部を挿入する開口部を形成するための舌片部８ａを有している。
【００２９】
取付板９は、板状に形成されており、たとえば鉄によって形成されている。取付板９は中央に開口部９ａを有している。この開口部９ａを覆うように絶縁シート８がケース１に取り付けられており、この状態で絶縁シート８の舌片部８ａによって形成された開口部を通って電装線がコネクタ６に接続される。この取付板９は室内の壁面にねじなどによって取り付けられる。そして、取付板９が壁面に取り付けられた後に、取付板９にケース１を装着することによって、リモコン装置が室内の壁面に取り付けられる。
【００３０】
図４は、ケース１を取り外した状態の制御基板５の外観図である。図４を参照して、制御基板５には、表示部３と、スイッチ２１と、発光ダイオード素子１０とが搭載されている。
【００３１】
表示部３は、たとえば液晶パネルであり、温度、時刻などが表示される。スイッチ２１は、図２のスイッチ操作ボタン２０に対応して設けられる制御基板５上のスイッチである。スイッチ操作ボタン２０がユーザに押されると、スイッチ２１の中央部分の押しボタンが押される。
【００３２】
なお、スイッチ２１と同様なスイッチが、図２のスイッチ操作ボタン４に対応する３行５列の配列で、制御基板５上に配置されている。
【００３３】
また、制御基板５上のスイッチ２１の横には、発光ダイオード素子１０が４つ並んで配置されている。
【００３４】
図５は、発光ダイオード素子１０の付近を拡大して示した図である。図６は、制御基板上に実装された発光ダイオード素子１０を側方から見た図である。図５、図６を参照して、制御基板５には、発光ダイオード素子１０とチップ部品５０とスイッチ２１とが表面実装される。
【００３５】
図６を参照して、これらの部品が実装された制御基板５は、導光部材３０と、制御基板５をカバーするカバー部材３１と、スイッチ操作ボタン２０とによって覆われる。さらにカバー部材３１は、透明なアクリル板１１によって覆われる。すなわち、制御基板５を収容するケースは、絶縁体で構成された複数の部材（少なくとも、カバー部材３１、スイッチ操作ボタン２０を含む）によって構成されている。図６に示されるように、絶縁体で構成されたスイッチ操作ボタン２０およびアクリル板１１の境界部１００に形成される隙間は、ユーザが操作する時に指から放電される静電気の侵入経路となる。
【００３６】
発光ダイオード素子１０は、端子１２，１３を有する。端子１２，１３は、それぞれ、制御基板５上に設けられた銅箔露出部にはんだ付けされている。詳細には図示しないが、端子１２，１３がはんだ付けされる銅箔露出部は、発光ダイオード素子１０を点灯させる制御回路への信号配線に接続されている。
【００３７】
端子１２，１３の両脇には、チップ部品５０が配置される。チップ部品５０は、制御基板５上に設けられた銅箔露出部にはんだ付けされることによって、グランドパターン６１と電気的に接続される。すなわち、チップ部品５０がはんだ付けされる銅箔露出部は、静電気を吸収しやすいグランドパターン６１に設けられている。図６に概念的に示すように、グランドパターン６１は、接地電位ＧＮＤを供給する接地ノード７０と電気的に接続されている。好ましくは、グランドパターン６１は、発光ダイオード素子１０の周囲を囲むように、端子１２，１３をはんだ付けする配線パターン部分を除いて、いわゆるベタグランドとして設けられる。
【００３８】
発光ダイオード素子１０の制御基板５の反対側には、導光部材３０が配置されている。導光部材３０は、たとえば透明な樹脂で形成された部材である。導光部材３０の一部分は、樹脂ケースのカバー部材３１の開口部３２に挿入されている。すなわち、導光部材３０およびカバー部材３１も絶縁体によって構成される。
【００３９】
すなわち、導光部材３０は、発光ダイオード素子１０とカバー部材３１の開口部３２との間に配置される。そして、導光部材３０は、開口部３２の下方において広がっている。図５に破線で示した導光部材３０の投影形状でわかるように、導光部材３０は、発光ダイオード素子１０を覆っている。そして、導光部材３０の制御基板５に対向する対向面の面積（図５に破線で示す導光部材３０の制御基板上への投影面積に相当する）は、発光ダイオード素子１０の制御基板上に占める面積よりも広い。
【００４０】
そして、静電気を吸収する保護部であるチップ部品５０は、導光部材３０の対向面の端部に対向する制御基板５上の発光ダイオード素子１０の周辺部（図５の破線で示す導光部材３０の外縁部上）に配置される。
【００４１】
このように、導光部材３０の形状を開口部３２よりも広い面で制御基板５に対向するようにし、その外縁部にチップ部品５０を配置したので、スイッチ２１を操作するためにユーザがスイッチ操作ボタン２０を押した際に放電された静電気が、図６中に波線矢印で示したように、端子１２，１３に落ちることなく、チップ部品５０に落ちて吸収される。これにより、チップ部品５０によって、静電気から電子回路を守るために静電気を吸収する「保護部」を形成することができる。
【００４２】
なお、チップ部品５０は、グランドパターン６１にはんだ付けが可能であればどのようなものでもよく、チップコンデンサやチップ抵抗素子などであっても良い。あるいは、チップ部品５０に代えて、はんだを盛り上げること等によってグランドパターン６１と電気的に接続された導電体を形成することよって「保護部」を構成してもよい。また、ベタグラウンド（グランドパターン６１）のみで、「保護部」を構成することも可能である。
【００４３】
図７は、実施の形態１の比較例に生じる放電経路を説明するための図である。図７に示す比較例の構成は、図６に示した構成と比較して、導光部材３０の形状がカバー部材３１の開口部および発光ダイオード素子１０と略同じ寸法であり、さらに、チップ部品５０およびそれがはんだ付けされていたグランドパターン６１が設けられていない点で異なる。
【００４４】
すると、図７中に波線矢印で示したように、スイッチ操作ボタン２０を操作したときに指から放電された静電気が端子１２に放電されやすい。
【００４５】
図７の比較例と比べて、図６に示した実施の形態１の操作装置の構成では、導光部材３０の形状が異なる。具体的には、導光部材３０は、本来の発光ダイオード素子１０からの光を導くための部位（図７）に加えて、基板側で広がった部位３５（拡大部位３５）を有するように構成されている。さらに、拡大部位３５の外縁の直下には、静電気を吸収するための避雷針のように「保護部」として作用する、チップ部品５０およびグランドパターン６１が配置されている。したがって、導光部材３０の拡大部位３５と、カバー部材３１と導光部材３０とで形成される隙間によって、境界部１００から開口部３２を経由して侵入した静電気が発光ダイオード素子１０に放電する放電経路の途中に設けられて、静電気をチップ部品５０およびグランドパターン６１（保護部）に誘導するための「静電気誘導路」を構成することができる。これにより、開口部３２から侵入した静電気は、端子１２，１３まで到達する前に吸収される可能性が高められており、発光ダイオード素子１０の保護が強化されている。
【００４６】
実施の形態１について、再び図を参照して総括する。図１および図６を参照して、実施の形態１の操作装置は、複数の部材で構成されたケース１と、ケース１の内部に収容され、電子回路を搭載する制御基板５と、複数の部材間の境界部から侵入する静電気から電子回路を守るために、静電気を吸収する保護部（チップ部品５０、グランドパターン６１等）と、境界部１００から侵入した静電気を保護部に誘導する静電気誘導路（カバー部材３１と拡大部位３５とで形成される隙間）とを備える。この静電気誘導路は、境界部１００から電子回路（発光ダイオード素子１０）へ至る静電気の放電経路の途中に、より具体的には、当該放電経路から分岐するように設けられている。
【００４７】
好ましくは、保護部は、制御基板５において接地電位ＧＮＤを与える接地ノード７０と電気的に接続される。
【００４８】
好ましくは、保護部は、制御基板５において接地ノード７０と電気的に接続された電子部品（チップ部品５０）を含む。
【００４９】
好ましくは、電子回路は、発光ダイオード素子１０を含む。ケース１は、制御基板上に配置されたスイッチを操作するためのスイッチ操作部材（スイッチ操作ボタン２０）と、スイッチ操作部材（スイッチ操作ボタン２０）に近接して設けられ、制御基板５を覆うカバー部材３１とを含む。カバー部材３１には、発光ダイオード素子１０の光を通すための開口部３２が設けられる。操作装置は、発光ダイオード素子１０とケース１の開口部３２との間に配置される導光部材３０をさらに備える。導光部材３０は、発光ダイオード素子１０を覆う。図５、図６に示されるように、導光部材３０の制御基板５に対向する対向面の面積（図６の開口部３２よりも下に突き出て広がっている部分の面積）は、拡大部位３５が設けられることにより、発光ダイオード素子１０の制御基板５上に占める面積よりも広い。保護部は、導光部材３０の対向面の端部に対向する制御基板５上の発光ダイオード素子１０の周辺部（図５の破線３０で示した破線上）に配置される。
【００５０】
このように構成することにより、実施の形態１の操作装置では、ユーザの体に帯電した静電気がスイッチ操作時に放電されても、静電気は、電子回路に到達する前にグランドパターン６１などの保護部に静電気が吸収され易くなっている。この結果、ケース外部からの静電気放電が生じても、電子回路に故障が発生しにくいという効果が得られる。
【００５１】
［実施の形態２］
実施の形態２の操作装置は、実施の形態１の操作装置とは外観が異なるが、相当する部品については同じ参照符号を付して説明する。
【００５２】
図８は、実施の形態２の操作装置の外観図であり、図９は、図８のＩＸ−ＩＸにおける断面図である。
【００５３】
図８を参照して、この操作装置は、表示部３の下に４つの発光ダイオード素子１０が配置されている。発光ダイオード素子１０の下側には、対応するスイッチ操作ボタン２０が配置されている。表示部３は、たとえば液晶パネルであり、温度、時刻などが表示される。表示部３や発光ダイオード素子１０の表面を保護するためにアクリル板１１が配置されている。
【００５４】
この操作装置のケースは、アクリル板１１、スイッチ操作ボタン２０などの複数の部材によって構成されている。そして、スイッチ操作ボタン２０とアクリル板１１との境界部１００に形成される隙間は、ユーザが操作する時に指から放電される静電気の侵入経路となる。
【００５５】
図９を参照して、制御基板を覆うカバー部材３１の上に透明なアクリル板１１が配置されている。制御基板５上にはんだ付けされた発光ダイオード素子１０が見えるように、カバー部材３１には開口部６０が設けられている。さらに、実施の形態２に従う操作装置では、開口部６０から制御基板５への埃の侵入、特に、発光ダイオード素子１０への埃の堆積を防ぐために、カバー部材３１は、制御基板５上にリブ状に設けられた壁部３６を有するように構成されている。
【００５６】
図１０は、実施の形態２の比較例に生じる放電経路を説明するための図である。スイッチ操作ボタン２０とアクリル板１１の境界部１００から侵入した静電気は、図１０中の波線矢印で示した経路で発光ダイオード素子１０に放電される。このような放電が発生すると、発光ダイオード素子１０が故障する虞がある。
【００５７】
図１１は、実施の形態２の操作装置の図８のＸ−Ｘにおける断面図である。図１１に示すように実施の形態２の操作装置では、発光ダイオード素子１０が配置される開口部６０とスイッチ操作ボタン２０との間にさらに開口部６０＃を設けるように、カバー部材３１のリブ形状が変更される。さらに、制御基板５には、開口部６０＃の直下にグランドパターン６１が設けられる。
【００５８】
これにより、静電気が境界部１００から侵入しても、発光ダイオード素子１０に至る前に、開口部６０＃およびグランドパターン６１を経由する放電経路を形成することができる。すなわち、グランドパターン６１は実施の形態１と同様に「保護部」を形成することができる。さらに、開口部６０＃によって、境界部１００から発光ダイオード素子１０に至る静電気の放電経路の途中に設けられて、静電気をグランドパターン６１（保護部）に誘導するための「静電気誘導路」を構成することができる。
【００５９】
なお、図１１では、グランドパターン６１のみを「保護部」として例示しているが、実施の形態１と同様に、チップ部品５０をグランドパターン６１にはんだ付けすることによって「保護部」を構成してもよい。あるいは、はんだを盛り上げること等によってグランドパターン６１上に導電部を形成するように「保護部」を形成することも可能である。
【００６０】
また、図１２に示すように、カバー部材３１の形状によっては、静電気が侵入する境界部１００の直下にグランドパターン６１による「保護部」を設けてもよい。この場合には、カバー部材３１の壁部３６の外側の空間によって、境界部から侵入した静電気をグランドパターン６１等の保護部へ誘導するための開口部６０♯が形成される。この場合にも、開口部６０♯による静電気誘導路は、境界部１００から発光ダイオード素子１０に至る静電気の放電経路の途中に設けられて、静電気をグランドパターン６１（保護部）に誘導することができる。
【００６１】
実施の形態２について再び図を参照して総括する。図８、図１１、図１２を参照して、実施の形態２の操作装置は、複数の部材で構成されたケースと、ケースの内部に収容され、電子回路を搭載する制御基板５と、複数の部材間の境界部１００から侵入する静電気から電子回路を守るために、静電気を吸収する保護部（グランドパターン６１）と、境界部１００から侵入した静電気を保護部（グランドパターン６１）に誘導する静電気誘導路（開口部６０＃）とを備える。静電気誘導路（開口部６０＃）は、境界部１００から電子回路（発光ダイオード素子１０）へ至る静電気の放電経路の途中に、より具体的には、当該放電経路から分岐するように設けられている。
【００６２】
静電気誘導路（開口部６０＃）により、侵入した静電気が電子回路に行かずに保護部（グランドパターン６１）に誘導されるので、電子回路の保護が強化される。
【００６３】
好ましくは、電子回路は、発光ダイオード素子１０を含む。ケースは、制御基板上に配置されたスイッチを操作するためのスイッチ操作部材（スイッチ操作ボタン２０）と、スイッチ操作部材（スイッチ操作ボタン２０）に近接して設けられ、制御基板を覆うカバー部材３１とを含む。カバー部材３１には、発光ダイオード素子１０の光をケース外へ通すための第１開口部６０と、境界部１００とから第１開口部６０へ至る静電気の放電経路の途中に設けられて静電気を保護部（グランドパターン６１）に誘導するための第２開口部６０＃とが設けられる。
【００６４】
第２開口部６０＃をこのような位置に設けたので、スイッチ操作部材（スイッチ操作ボタン２０）の境界部１００から侵入した静電気は、発光ダイオード素子１０に至る前に第２開口部６０＃を通って保護部（グランドパターン６１）に吸収される。
【００６５】
より好ましくは、カバー部材３１は、第１開口部６０および第２開口部６０＃の各々の周囲に、ケースの表面から制御基板５に向けて伸びる壁部３６（埃侵入防止用のリブ）を有する。
【００６６】
このようにすると、開口部６０＃の周囲にも埃の侵入を防ぐためにカバー部材３１に壁部３６を設けることにより、開口部６０＃から発光ダイオード素子１０に直接静電気が放電されることが防止されるので、静電気はグランドパターン６１以外に逃げなくなる。すなわち、開口部６０＃による静電気の誘導効果を高めることができる。
【００６７】
今回開示された実施の形態はすべての点で例示であって制限的なものではないと考えられるべきである。本発明の範囲は上記した説明ではなく、特許請求の範囲によって示され、特許請求の範囲と均等の意味および範囲内でのすべての変更が含まれることが意図される。
【符号の説明】
【００６８】
１  ケース、２  カバー、３  表示部、４，２０  スイッチ操作ボタン、５  制御基板、６  コネクタ、８  絶縁シート、８ａ  舌片部、９  取付板、９ａ，３２，６０，６０＃  開口部、１０  発光ダイオード素子、１１  アクリル板、１２，１３  端子、２１  スイッチ、３０  導光部材、３１  カバー部材、３５  拡大部位（導光部材）、壁部３６（カバー部材）、５０  チップ部品、６１  グランドパターン、７０  接地ノード、１００  境界部。
【図１】
2015046248.tif 000003
【図２】
2015046248.tif 000004
【図３】
2015046248.tif 000005
【図４】
2015046248.tif 000006
【図５】
2015046248.tif 000007
【図６】
2015046248.tif 000008
【図７】
2015046248.tif 000009
【図８】
2015046248.tif 000010
【図９】
2015046248.tif 000011
【図１０】
2015046248.tif 000012
【図１１】
2015046248.tif 000013
【図１２】
2015046248.tif 000014